(57)【要約】  【課題】天板が配設される室内空間において、使用者等に対して当該室内空間に対する窮屈な印象を与えにくいデスクトップパネル、及び、当該デスクトップパネルを有したデスクを提供する。  【解決手段】天板に対して起立した姿勢をなし一面側から他面側を透視可能な透明性を有する面板を主体に構成されたデスクトップパネルであって、前記面板が、下側から上側に向かって透明性の度合いが漸次大きくなるように設定されたグラデーション領域を備えているものとした。このようなものであれば、天板が配設される室内空間において、使用者等に対して当該室内空間に対する窮屈な印象を与えにくいデスクトップパネル、及び、当該デスクトップパネルを有したデスクを提供することができるものとなる。【選択図】図１
2018149235.tif 000002
【特許請求の範囲】
【請求項１】
天板に対して起立した姿勢をなし一面側から他面側を透視可能な透明性を有する面板を主体に構成されたデスクトップパネルであって、
前記面板が、下側から上側に向かって透明性の度合いが漸次大きくなるように設定されたグラデーション領域を備えているデスクトップパネル。
【請求項２】
前記面板が、下端近傍部に設定された透明性の略無い不透明領域と、この不透明領域の上に配設された前記グラデーション領域と、前記グラデーション領域の上に配設されるとともに当該グラデーション領域よりも透明性のある透明領域とを備えた請求項１記載のデスクトップパネル。
【請求項３】
前記面板と、この面板の少なくとも下端に設けられた枠体とを備えた請求項１又は２記載のデスクトップパネル。
【請求項４】
前記面板が、透明板の一面又は両面に所定のパターンで遮光塗料が添着されてなる請求項１、２又は３記載のデスクトップパネル。
【請求項５】
前記透明板が、略無色透明のアクリル板である請求項４記載のデスクトップパネル。
【請求項６】
前記遮光塗料が、白色のものである請求項４又は５記載のデスクトップパネル。
【請求項７】
脚を有した支持体及びこの支持体に支持され対面配置された対をなす天板とを備えたデスク本体と、このデスク本体における前記対をなす天板間に立設された請求項１〜６の何れかに記載のデスクトップパネルとを備えたデスク。
【発明の詳細な説明】
【技術分野】
【０００１】
本発明は、デスクトップパネル、デスクトップパネルを有したデスクに関する。
【背景技術】
【０００２】
従来から、デスクの天板に立設されたデスクトップパネルが種々知られている（例えば、特許文献１を参照）。
【０００３】
この種のデスクトップパネルは、天板を使用する使用者によって一面側から他面側が視認されないように構成されている。かかる事情から、従来のデスクトップパネルは、その全体が一面側と他面側とを視覚的に遮断し得る不透明の部材によって構成されていた。
【０００４】
また、デスクトップパネルは、デスクが配設される室内空間（例えば、オフィス空間や、飲食や休憩用の空間等）において、天板よりも高いところに位置するものとなっている。このため、従来のデスクトップパネルは、デスクが配設された種々の室内空間において、不可避的に使用者等の目につきやすいものとなっている。そのため、従来のデスクトップパネルは、デスクが配設された室内空間において視認されやすく窮屈な印象を与え得る一因となっていた。
【先行技術文献】
【特許文献】
【０００５】
【特許文献１】特開２００８−１１０１１６号公報
【発明の概要】
【発明が解決しようとする課題】
【０００６】
本発明は、以上のような事情に着目してなされたものであり、少なくとも、デスクが配設される室内空間において、使用者等に対して当該室内空間に対する窮屈な印象を与えにくいデスクトップパネル、及び、当該デスクトップパネルを有したデスクを提供することにある。
【課題を解決するための手段】
【０００７】
すなわち、本発明は次の構成をなしている。
【０００８】
請求項１に記載の発明は、天板に対して起立した姿勢をなし一面側から他面側を透視可能な透明性を有する面板を主体に構成されたデスクトップパネルであって、前記面板が、下側から上側に向かって透明性の度合いが漸次大きくなるように設定されたグラデーション領域を備えているデスクトップパネルである。
【０００９】
ここで、「透明性」とは、光を透過させる性質を意味しており、「透明性の度合い」とは、透過する光の遮蔽の程度を意味するだけでなく、透過する光の乱反射の程度をも意味している。なお、「透明」とは、狭義の無色透明だけでなく有色透明をも含む概念である。
【００１０】
請求項２に記載の発明は、前記面板が、下端近傍部に設定された透明性の略無い不透明領域と、この不透明領域の上に配設された前記グラデーション領域と、前記グラデーション領域の上に配設されるとともに当該グラデーション領域よりも透明性のある透明領域とを備えた請求項１記載のデスクトップパネルである。
【００１１】
請求項３に記載の発明は、前記面板と、この面板の少なくとも下端に設けられた枠体とを備えた請求項１又は２記載のデスクトップパネルである。
【００１２】
請求項４に記載の発明は、前記面板が、透明板の一面又は両面に所定のパターンで遮光塗料が添着されてなる請求項１、２又は３記載のデスクトップパネルである。
【００１３】
請求項５に記載の発明は、前記透明板が、略無色透明のアクリル板である請求項４記載のデスクトップパネルである。
【００１４】
請求項６に記載の発明は、前記遮光塗料が、白色のものである請求項４又は５記載のデスクトップパネルである。
【００１５】
請求項７に記載の発明は、脚を有した支持体及びこの支持体に支持され対面配置された対をなす天板とを備えたデスク本体と、このデスク本体における前記対をなす天板間に立設された請求項１〜４の何れかに記載のデスクトップパネルとを備えたデスクである。
【発明の効果】
【００１６】
以上説明したように本発明によれば、少なくとも、天板が配設される室内空間において、使用者等に対して当該室内空間に対する窮屈な印象を与えにくいデスクトップパネル、及び、当該デスクトップパネルを有したデスクを提供することができるものとなる。
【図面の簡単な説明】
【００１７】
【図１】本発明の一実施形態を示す斜視図。
【図２】同実施形態における正面図。
【図３】同実施形態における側面図。
【図４】他の実施形態を示す図１に対応する斜視図。
【図５】同実施形態を示す図２に対応する正面図。
【図６】他の実施形態を示す図２に対応する正面図。
【図７】他の実施形態を示す図２に対応する正面図。
【発明を実施するための形態】
【００１８】
以下、本発明の一実施形態を、図１〜３を参照して説明する。
【００１９】
この実施形態は、本発明を、デスク本体１にデスクトップパネル２を設けたデスクＡに適用したものである。
【００２０】
デスクＡは、図１〜３に示すように、四本の脚ｊ１を有した支持体Ｊ、及び、支持体Ｊに支持され対面配置された対をなす天板１１、１２とを備えてなるデスク本体１と、デスク本体１における対をなす天板１１、１２間に立設されたデスクトップパネル２とを備えている。
【００２１】
対をなす天板１１、１２は、図１に示すように、横長略矩形状をなすものである。より具体的に言えば、デスク本体１は、デスクトップパネル２の一面側に位置する一方の天板１１と、デスクトップパネル２の他面側に位置する他方の天板１２とによって構成されている。
【００２２】
デスク本体１における一方の天板１１と他方の天板１２との間には、パソコンの電源ケーブル等を挿通可能な配線挿通孔１３が形成されている。配線挿通孔１３は、一方、他方の天板１１、１２における反使用端縁ｅにそれぞれ隣接して設けられている。各配線挿通孔１３には、当該配線挿通孔１３を開閉し得る横長矩形状の蓋体１４が回動可能に設けられている。
【００２３】
続いて、デスクトップパネル２について詳述する。
【００２４】
デスクトップパネル２は、図１〜３に示すように、天板１１、１２に対して起立した姿勢をなし一面側から他面側を透視可能な透明性を有する面板２１を主体に構成されたものである。デスクトップパネル２は、一方の天板１１上の空間と他方の天板１２上の空間との間に介設されるものである。デスクトップパネル２は、一方の天板１１上の空間と他方の天板１２上の空間とを仕切る役割を担っている。デスクトップパネル２は、面板２１と、面板２１の下端に設けられた枠体２２とを備えている。
【００２５】
面板２１は、略長方形状をなす透明板、すなわち、略無色透明のアクリル板Ｃの両面に、所定のパターン（模様）で白色の遮光塗料Ｐが添着されてなるものである。（なお、表示の都合上、図１及び図２では、白色の遮光塗料Ｐに相当する部分を黒色で示している。）この実施形態では、面板２１は、シルクスクリーン印刷により無色透明のアクリル板Ｃの両面に、白色の遮光塗料Ｐを所定のパターンで添着することにより構成されている。面板２１は、下側から上側に向かって透明性の度合いが漸次大きくなるように設定されたグラデーション領域ｓ２を備えている。
【００２６】
面板２１は、図１及び図２に示すように、下端近傍部に設定された透明性の略無い不透明領域ｓ１と、この不透明領域ｓ１の上に配設されたグラデーション領域ｓ２と、グラデーション領域ｓ２の上に配設されるとともに当該グラデーション領域ｓ２よりも透明性のある透明領域ｓ３とを備えている。
【００２７】
不透明領域ｓ１は、透明板であるアクリル板Ｃに白色の遮光塗料Ｐを添着することにより一方側から他方側が使用者等（天板を使用する使用者だけでなくその周囲においてデスクトップパネルを視認し得る者を含む、以下、同じ。）によって視認されない不透明に構成されたものである。不透明領域ｓ１は、面板２１全体における略四分の一の面積に設定されている。
【００２８】
グラデーション領域ｓ２は、透明板であるアクリル板Ｃに白色の遮光塗料Ｐを添着することにより下側から上側に向かって透明性の度合いが漸次大きくなるように設定されたものである。グラデーション領域ｓ２は、上側に向かうにつれて一方側から他方側が使用者等によって視認しやすく構成されている。グラデーション領域ｓ２は、面板２１全体における略二分の一の面積に設定されている。グラデーション領域ｓ２は、アクリル板Ｃに添着された遮光塗料Ｐのパターンにより下側から上側に向かって透明性の度合いが漸次大きくなるように設定されている。この実施形態では、面板２１に添着された遮光塗料Ｐによるパターンが、略真円状をなす複数のドットを主体に作られたものとなっている。なお、グラデーション領域ｓ２の態様は、上側に向かうにつれて一方側から他方側が使用者等によって視認しやすく構成されているものであればよく、図面において具体的に示したものに限られるものではない。
【００２９】
透明領域ｓ３は、透明板であるアクリル板Ｃに白色の遮光塗料Ｐがほとんど添着されておらず、一方側から他方側が使用者等によって視認可能な略透明に構成されたものである。透明領域ｓ３は、面板２１全体における略四分の一の面積に設定されている。
【００３０】
枠体２２は、面板２１の下端縁に装着されている。この実施形態では、枠体２２は、面板２１の下端縁にのみ取り付けられている。すなわち、枠体２２は、面板２１における下端縁以外の部位、すなわち、面板２１における左右端縁や上端縁には取り付けられていない。
【００３１】
以上に述べたデスクトップパネル２は、枠体２２に固設されたブラケットＢを介して一方の天板１１の下面、及び、他方の天板１２の下面に取り付けられている。
【００３２】
以上説明したように、本実施形態に係るデスクトップパネル２は、天板１１、１２に対して起立した姿勢をなし一面側から他面側を透視可能な透明性を有する面板２１を主体に構成されたものである。そして、面板２１が、下側から上側に向かって透明性の度合いが漸次大きくなるように設定されたグラデーション領域ｓ２を備えている。このため、天板１１、１２が配設されるオフィス等の室内空間において、使用者等に対して当該室内空間に対する窮屈な印象を与えにくいデスクトップパネル２を提供することができるものとなる。
【００３３】
すなわち、面板２１に設けられたグラデーション領域ｓ２は、下側から上側に向かって透明性の度合いが漸次大きくなるように設定されたものとなっている。このため、オフィス等の室内空間において使用者等の目につきやすいデスクトップパネル２の上部が、透明性の度合いが大きく設定されたものとなり、使用者等に対して視覚的に目立ちにくいものとなっている。この結果、デスクトップパネル２は、その存在に起因して使用者等に対してオフィス等の室内空間における窮屈な印象を与えてしまうことを、好適に抑制し得るものとなっている。換言すれば、このデスクトップパネル２であれば、天板１１、１２上の室内空間を、面板２１の存在によって好適に仕切り得るものとなっている。それだけでなく、デスクトップパネル２は、グラデーション領域ｓ２を有した面板２１を有しているため、上側に向かうにつれて使用者等における視線の通過が許容されていくものなり、デスクＡが配設された室内空間において使用者等が感じ得る閉塞感を好適に抑制し得るものとなっている。
【００３４】
しかも、本実施形態におけるデスクトップパネル２であれば、その下部は透明性の度合いが小さいものとなっているため、天板１１、１２の使用者に対して、他の使用者等から面板２１を介して手元が視認されるような不安感を与えにくいものとなっている。
【００３５】
面板２１が、下端近傍部に設定された透明性の略無い不透明領域ｓ１と、不透明領域ｓ１の上に配設されたグラデーション領域ｓ２と、グラデーション領域ｓ２の上に配設されるとともに当該グラデーション領域ｓ２よりも透明性のある透明領域ｓ３とを備えている。このため、使用者の手元部分に対応する面板２１における下端近傍部は、当該面板２１の反対側に居る他の使用者等から視認されにくいものとなるだけでなくオフィス等の室内空間において使用者等の目につきやすいデスクトップパネル２の上部は使用者等に対して視覚的に目立ちにくいものとなる。そして、不透明領域ｓ１と透明領域ｓ３との間に介設されたグラデーション領域ｓ２によって、不透明領域ｓ１と透明領域ｓ３とを視覚的に滑らかに連続させるものとなっているため、好適な外観を付与し得るとともに天板１１、１２の使用者に対して他の使用者等から面板２１を介して手元よりも上に位置する胸・首・顔等の部位が鮮明に視認されてしまうことを好適に抑制し得るものとなっている。
【００３６】
デスクトップパネル２は、面板２１と、面板２１の下端にのみ設けられた枠体２２とを備えたものとなっている。このため、デスク本体１への取り付けを強度に優れた枠体２２を利用して好適に行い得るものとなるとともに面板２１における使用者等から視認されやすい部分となる側端縁や上端縁をすっきりとした印象に構成し得るものとなっている。
【００３７】
面板２１が、透明板である略無色透明のアクリル板Ｃの両面に所定のパターンで遮光塗料Ｐが添着されてなるものとなっている。このため、デスクトップパネル２の全体的な軽量化に資するものとなる。よって、装着後の安定に供するものとなるとともに取り付け作業時においても便宜なものとなる。
【００３８】
遮光塗料Ｐが、白色のものである。このため、設置される場所において、所要の透明性の度合いを設定し得るとともに室内空間に明るい印象を付与し得るものとなっている。
【００３９】
デスクＡは、脚ｊ１を有した支持体Ｊ及びこの支持体Ｊに支持され対面配置された対をなす天板１１、１２とを備えたデスク本体１と、このデスク本体１における前記対をなす天板１１、１２間に立設されたデスクトップパネル２とを備えたものとなっている。このため、対をなす天板１１、１２である一方、他方の天板１１、１２を使用する使用者は、反対側の使用者を気にすることなく種々の作業等を行い得るとともにデスクＡが配設された室内空間がデスクトップパネル２の存在に起因して窮屈な印象になることを好適に抑制し得るものとなっている。
【００４０】
なお、本発明は、以上に詳述した実施形態に限られるものではない。
【００４１】
「透明」とは、狭義の無色透明だけでなく有色透明をも含む概念である。換言すれば、透明板は、無色透明以外にも有色透明のものであってもよい。
【００４２】
デスクが配設される室内空間はオフィス等に限られるものではないことはもちろんのことである。
【００４３】
デスクトップパネルにおける透明性の度合いは、種々の方法により設定され得るものである。デスクトップパネルにおける透明性の度合いは、例えば、面板の外面形状を、光の乱反射を惹起し得る凹凸に形成することよって設定するようにしてもよい。
【００４４】
面板における遮光塗料によるパターンは、種々の態様に設定し得るものであり、上述した実施形態に示すものに限定されるものではない。
【００４５】
ここで、図４〜７に示すものは、デスクトップパネル２の他の実施形態を例示したものである。図４、及び、図５に示すものは、面板２１の遮光塗料Ｐによるパターンが、複数の水平線を主体に作られている。図６、図７に示すものは、面板２１の遮光塗料Ｐによるパターンが、複数のドット（点）を主体に作られている。なお、図４〜７において、上述した実施形態と同一又は対応する構成については同一の符号を付すものとし説明を省略する。
【００４６】
図４、及び、図５に示す例は、面板２１の遮光塗料Ｐによるパターンが、上部側が下部側よりも細くなるように太さの異なる水平線を上下方向に複数配列したものとなっている。
【００４７】
図６に示す例は、面板２１に添着された遮光塗料Ｐによるパターンが、上下二辺を略水平に構成するとともに左右二辺を略鉛直に構成した略四角形状をなす複数のドットを主体に作られてなるものである。
【００４８】
図７に示す例は、面板２１に添着された遮光塗料Ｐによるパターンが、四辺すべてを水平に対して傾けた状態に構成した略四角形状をなす複数のドットを主体に作られてなるものである。
【００４９】
このようなものであっても、下側から上側に向かって透明性の度合いが漸次大きくなるように設定されたグラデーション領域ｓ２を好適に形成することができるものとなり、所期の目的を達成し得るものとなっている。
【００５０】
面板における遮光塗料の色彩は、種々の色彩を適宜採用し得るものであることはいうまでもない。例えば、遮光塗料として黒色タイプのものを適用するようにしてもよい。
【００５１】
面板における上部に設けられた透明領域、面板における中部に設けられたグラデーション領域、及び、面板における下部に設けられた不透明領域の比率は、適宜設定され得るものであることはいうまでもない。
【００５２】
面板には、グラデーション領域のみを設け、透明領域や不透明領域を設けていないものであってもよい。
【００５３】
また、上述した実施形態では、遮光塗料が、透明板に対して、シルクスクリーン印刷により添着されたものを説明したが、このようなものに限られるものではない。例えば、遮光塗料が、インクジェット印刷により透明板に添着されたものであってもよい。
【００５４】
デスクは、上述した実施形態に示すものに限られるものではない。例えば、デスクは、対をなす天板を有したものに限られるものではない。すなわち、デスクは、単一の天板を有したデスク本体を備えたものであってもよい。また、デスクトップパネルは、デスク本体の構成に応じて適宜の位置に配設され得るものである。例えば、デスク本体における天板が、使用者に近接し得る使用端縁と使用者から離れた位置にある反使用端縁とを有しているものであれば、デスクトップパネルを当該天板における反使用端縁又は反使用端縁の近傍に立設するようにしてもよい。
【００５５】
その他、各部の具体的構成についても上記実施形態に限られるものではなく、本発明の趣旨を逸脱しない範囲で種々変形が可能である。
【符号の説明】
【００５６】
２…デスクトップパネル
１１…一方の天板（天板）
１２…他方の天板（天板）
２１…面板
Ａ…デスク
ｓ２…グラデーション領域
【図１】
2018149235.tif 000003
【図２】
2018149235.tif 000004
【図３】
2018149235.tif 000005
【図４】
2018149235.tif 000006
【図５】
2018149235.tif 000007
【図６】
2018149235.tif 000008
【図７】
2018149235.tif 000009